【手続補正書】
【提出日】平成16年1月29日(2004.1.29)
【手続補正１】
【補正対象書類名】明細書
【補正対象項目名】発明の名称
【補正方法】変更
【補正の内容】
【発明の名称】マイクロ波帯ＦＭ復調回路およびマイクロ波帯ＦＳＫ復調回路
【手続補正２】
【補正対象書類名】明細書
【補正対象項目名】特許請求の範囲
【補正方法】変更
【補正の内容】
【特許請求の範囲】
【請求項１】
周波数変調信号を入力し、上記入力した周波数変調信号の中心周波数において互いに９０度の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＭ復調回路。
【請求項２】
周波数変調信号を入力し、上記入力した周波数変調信号の中心周波数において互いに９０度の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
上記伝送線路において短絡されていない端子と接地電位との間に設けられている可変容量と；
を有することを特徴とするマイクロ波帯ＦＭ復調回路。
【請求項３】
周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
を有することを特徴とするマイクロ波帯ＦＭ復調回路。
【請求項４】
周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
上記電力分配回路の２つの出力端子のうちの一方の出力端子と、上記ミキサの２つの入力端子のうちの一方の入力端子とを接続する第１の接続経路と；
上記電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＭ復調回路。
【請求項５】
請求項３または請求項４において、
周波数変調信号が入力されて位相差の無い２信号を出力する同相電力分配回路の一方の出力信号を、上記周波数変調信号の中心周波数における（２ｎ―１）／４波長（ｎは１以上の整数）の電気長を持つ伝送線路に通過させることを特徴とするマイクロ波帯ＦＭ復調回路。
【請求項６】
請求項３または請求項４において、
周波数変調信号が入力されて位相差の無い２信号を出力する同相電力分配回路の一方の出力信号を、上記周波数変調信号の中心周波数における（２ｎ―１）／４周期（ｎは１以上の整数）の遅延時間を持つ遅延素子に通過させることを特徴とするマイクロ波帯ＦＭ復調回路。
【請求項７】
周波数変調信号を入力し、上記入力した周波数変調信号の中心周波数において互いに所定の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＭ復調回路。
【請求項８】
周波数変調信号を入力し、上記入力した周波数変調信号の中心周波数において互いに所定の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
上記伝送線路において短絡されていない端子と接地電位との間に設けられている可変容量と；
を有することを特徴とするマイクロ波帯ＦＭ復調回路。
【請求項９】
周波数変調信号を入力し、この周波数変調信号の中心周波数において互いに所定の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
を有することを特徴とするマイクロ波帯ＦＭ復調回路。
【請求項１０】
周波数変調信号を入力し、この周波数変調信号の中心周波数において互いに所定の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
上記電力分配回路の２つの出力端子のうちの一方の出力端子と、上記ミキサの２つの入力端子のうちの一方の入力端子とを接続する第１の接続経路と；
上記電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＭ復調回路。
【請求項１１】
周波数変調信号を入力し、上記入力した周波数変調信号の中心周波数において互いに９０度の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＳＫ復調回路。
【請求項１２】
周波数変調信号を入力し、上記入力した周波数変調信号の中心周波数において互いに９０度の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
上記伝送線路において短絡されていない端子と接地電位との間に設けられている可変容量と；
を有することを特徴とするマイクロ波帯ＦＳＫ復調回路。
【請求項１３】
周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
を有することを特徴とするマイクロ波帯ＦＳＫ復調回路。
【請求項１４】
周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
上記電力分配回路の２つの出力端子のうちの一方の出力端子と、上記ミキサの２つの入力端子のうちの一方の入力端子とを接続する第１の接続経路と；
上記電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＳＫ復調回路。
【請求項１５】
請求項１３または請求項１４において、
周波数変調信号が入力されて位相差の無い２信号を出力する同相電力分配回路の一方の出力信号を、上記周波数変調信号の中心周波数における（２ｎ―１）／４波長（ｎは１以上の整数）の電気長を持つ伝送線路に通過させることを特徴とするマイクロ波帯ＦＳＫ復調回路。
【請求項１６】
請求項１３または請求項１４において、
周波数変調信号が入力されて位相差の無い２信号を出力する同相電力分配回路の一方の出力信号を、上記周波数変調信号の中心周波数における（２ｎ―１）／４周期（ｎは１以上の整数）の遅延時間を持つ遅延素子に通過させることを特徴とするマイクロ波帯ＦＳＫ復調回路。
【請求項１７】
周波数変調信号を入力し、上記入力した周波数変調信号の中心周波数において互いに所定の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＳＫ復調回路。
【請求項１８】
周波数変調信号を入力し、上記入力した周波数変調信号の中心周波数において互いに所定の位相差を持つ２信号を出力する９０度電力分配回路と；
上記９０度電力分配回路が出力する上記２信号を混合するミキサと；
上記９０度電力分配回路の２つの出力端子のうちの一方の出力端子と、上記ミキサの２つの入力端子のうちの一方の入力端子とを接続する第１の接続経路と；
上記９０度電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
上記伝送線路において短絡されていない端子と接地電位との間に設けられている可変容量と；
を有することを特徴とするマイクロ波帯ＦＳＫ復調回路。
【請求項１９】
周波数変調信号を入力し、この周波数変調信号の中心周波数において互いに所定の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
を有することを特徴とするマイクロ波帯ＦＳＫ復調回路。
【請求項２０】
周波数変調信号を入力し、この周波数変調信号の中心周波数において互いに所定の位相差を持ち、しかも、上記周波数変調信号の中心周波数からの周波数偏移に比例した位相差を持つ２信号を出力する電力分配回路と；
上記電力分配回路が出力する上記２信号を混合するミキサと；
上記電力分配回路の２つの出力端子のうちの一方の出力端子と、上記ミキサの２つの入力端子のうちの一方の入力端子とを接続する第１の接続経路と；
上記電力分配回路の２つの出力端子のうちの他方の出力端子と、上記ミキサの２つの入力端子のうちの他方の入力端子とを接続し、しかも、上記第１の接続経路と電気長が同じである第２の接続経路と；
上記第１の接続経路または上記第２の接続経路に、一端が、接続され、他端が、短絡されている伝送線路であって、上記周波数変調信号の中心周波数における１／４波長の電気長を持つ伝送線路と；
を有することを特徴とするマイクロ波帯ＦＳＫ復調回路。
【手続補正３】
【補正対象書類名】明細書
【補正対象項目名】０００１
【補正方法】変更
【補正の内容】
【０００１】
【発明の属する技術分野】
本発明は、マイクロ波帯ＦＭ復調回路およびマイクロ波帯ＦＳＫ復調回路に関するものである。


【手続補正４】
【補正対象書類名】明細書
【補正対象項目名】００１５
【補正方法】変更
【補正の内容】
【００１５】
2002344245.tif 000001
ω０ＲＣ１≪１となるように、第１のコンデンサ２３の容量Ｃ１を選ぶと、
θ＝９０°−ＡΔω
である。ただし、Ａ＝−２Ｒ（Ｃ＋Ｃ１）／｛（ω０ＲＣ１）２＋１｝である。


【手続補正５】
【補正対象書類名】明細書
【補正対象項目名】００８５
【補正方法】変更
【補正の内容】
【００８５】
上記各実施例は、ＦＳＫ用の復調回路であるが、ＦＳＫのようなデジタル信号に限らず、アナログ的なＦＭ（周波数変調）信号をも復調することができる。


【手続補正６】
【補正対象書類名】明細書
【補正対象項目名】００８７
【補正方法】変更
【補正の内容】
【００８７】
つまり、ＦＳＫ復調回路ＤＭ４は、周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と、上記電力分配回路の２つの出力信号を混合するミキサとを有するマイクロ波帯ＦＭ復調回路およびマイクロ波帯ＦＳＫ復調回路の例である。


【手続補正７】
【補正対象書類名】明細書
【補正対象項目名】００８８
【補正方法】変更
【補正の内容】
【００８８】
また、ＦＳＫ復調回路ＤＭ５は、周波数変調信号を入力し、この周波数変調信号の中心周波数において互いに９０度の位相差を持ち、しかも、上記周波数変調信号の中心周波数からの周波数偏移に比例した位相差を持つ２信号を出力する電力分配回路と、上記電力分配回路の２つの出力信号を混合するミキサと、上記電力分配回路の２つの出力端子のうちの一方の出力端子と、上記ミキサの２つの入力端子のうちの一方の入力端子とを接続する第１の接続経路と、上記電力分配回路の２つの出力端子のうちの他方の出力端子と、上記ミキサの２つの入力端子のうちの他方の入力端子とを接続する第２の接続経路と、上記第１の接続経路または上記第２の接続経路に、一端が、接続され、他端が、短絡されている伝送線路であって、上記周波数変調信号の中心周波数における１／４波長の電気長を持つ伝送線路とを有するマイクロ波帯ＦＭ復調回路およびマイクロ波帯ＦＳＫ復調回路の例である。


【手続補正８】
【補正対象書類名】明細書
【補正対象項目名】図９
【補正方法】変更
【補正の内容】
【図９】従来のマイクロ波帯のＦＳＫ復調回路ＤＭ１１を示す図である。